(57)【要約】【課題】効率的かつ安全に配管を固定できる配管固定治具、配管固定システムおよび配管固定方法を提供する。【解決手段】フランジ（２１）を有する配管（２０）を、溝（１１）が設けられたベース（１０）に固定する配管固定治具（１００）であって、一部で前記フランジ（２１）を前記ベース（１０）に押さえることが可能なフランジ固定部（２）と、前記フランジ固定部（２）の他の一部と前記ベース（１０）との間にあって前記フランジ固定部（２）を支持する支持機構（７）であって、その下面と前記フランジ固定部（２）との間の距離を調整可能な支持機構（７）と、前記溝（１１）に挿入されることで、当該配管固定治具（１００）を位置決めする治具固定部（１）と、前記治具固定部（１）と前記フランジ固定部（２）との間の高さを調整する高さ調整機構（３，５，６）と、を備える配管固定治具（１００）が提供される。【選択図】図２
2017048806.tif 000002
【特許請求の範囲】
【請求項１】
フランジを有する配管を、溝が設けられたベースに固定する配管固定治具であって、
一部で前記フランジを前記ベースに押さえることが可能なフランジ固定部と、
前記フランジ固定部の他の一部と前記ベースとの間にあって前記フランジ固定部を支持する支持機構であって、その下面と前記フランジ固定部との間の距離を調整可能な支持機構と、
前記溝に挿入されることで、当該配管固定治具を位置決めする治具固定部と、
前記治具固定部と前記フランジ固定部との間の高さを調整する高さ調整機構と、を備える配管固定治具。
【請求項２】
前記フランジ固定部、前記支持機構、前記治具固定部および前記高さ調整機構は一体である、請求項１に記載の配管固定治具。
【請求項３】
前記支持機構は、前記フランジ固定部に設けられた第１開口に挿通し、前記フランジ固定部に対して上下動可能な第１ボルトを有する、請求項１または２に記載の配管固定治具。
【請求項４】
前記高さ調整機構は、前記フランジ固定部に設けられた第２開口に挿通し、前記治具固定部が固定され、前記フランジ固定部に対して上下動可能な第２ボルトを有する、請求項１乃至３のいずれかに記載の配管固定治具。
【請求項５】
前記支持機構は、前記フランジ固定部に設けられた第１開口に挿通し、前記フランジ固定部に対して上下動可能な第１ボルトを有し、
前記高さ調整機構は、前記フランジ固定部に設けられた第２開口に挿通し、前記治具固定部が固定され、前記フランジ固定部に対して上下動可能な第２ボルトを有し、
前記ベースは、前記溝の上部に張り出した肩部を含み、
前記配管が前記ベースに固定された状態では、前記第１ボルトが前記ベースに当接するとともに、前記治具固定部の上面が前記肩部の下面と当接する、請求項１または２に記載の配管固定治具。
【請求項６】
溝が設けられ、フランジを有する配管が固定されるベースと、
請求項１乃至５のいずれかに記載の配管固定治具と、を備える配管固定システム。
【請求項７】
請求項１に記載の配管固定治具を用いて、フランジを有する配管を、溝が設けられたベースに固定する配管固定方法であって、
前記治具固定部を前記溝に挿入するとともに、前記フランジ固定部の一部で前記フランジが前記ベースに押さえられるよう、前記配管固定治具を配置する工程と、
前記フランジの厚さに合わせて、前記支持機構の下面と前記フランジ固定部との間の距離を粗調整する工程と、
前記高さ調整機構を用いて、前記フランジ固定部と前記ベースとの間で前記フランジが固定されるよう、前記治具固定部と前記フランジ固定部との間の高さを調整する工程と、
前記フランジの厚さに合わせて、前記支持機構の下面と前記フランジ固定部との間の距離を微調整する工程と、を備える配管固定方法。
【請求項８】
前記支持機構の下面と前記フランジ固定部との間の距離を粗調整および微調整する工程では、前記支持機構の下面を前記ベースと当接させる、請求項７に記載の配管固定方法。
【請求項９】
前記ベースは、前記溝の上部に張り出した肩部を含み、
前記治具固定部と前記フランジ固定部との間の高さを調整する工程では、前記治具固定部の上面を前記肩部の下面と当接させる、請求項７または８に記載の配管固定方法。
【発明の詳細な説明】
【技術分野】
【０００１】
本発明は、配管を固定する配管固定治具、配管固定システムおよび配管固定方法に関する。
【背景技術】
【０００２】
ポンプの試験（例えば出荷前性能試験）は、ポンプ試験場においてポンプ本体に配管を接続した状態で行われる。
【０００３】
図６は、ポンプ試験の様子を示す図である。ポンプ試験場において、ベース１１０上に試験台１１１が置かれ、その上にポンプ本体１１２が置かれる。そして、ポンプ本体１１２に吸込配管１１３および吐出配管１１４を接続してポンプの試験が行われる。
【０００４】
本ポンプ本体１１２の試験が終了して吸込配管１１３および吐出配管１１４を他のポンプと付け替えるときなどは、吸込配管１１３および吐出配管１１４をポンプ本体１１２から取り外し、ベース１１０に載置する。吸込配管１１３と吐出配管１１４の形状はほぼ同様であるため、以下では吸込配管１１３について説明する。
【０００５】
図７は、ベース１１０に載置された吸込配管１１３を示す図である。吸込配管１１３は配管本体１１３ａより径が大きなフランジ１１３ｂを有する。そこで、図７に示すように、フランジ１１３ｂを利用して吸込配管１１３がベース１１０上に載置される。
【０００６】
しかしながら、配管本体１１３ａが屈曲していることからこの状態では不安定であり、吸込配管１１３が転倒して傷ついてしまったり、場合によっては作業者が怪我をしたりするおそれがある。そこで、吸込配管１１３が転倒しないよう、吸込配管１１３をベース１１０に固定する必要がある。
なお、出願人は、本願発明に関連する文献公知発明を知らない。
【発明の概要】
【発明が解決しようとする課題】
【０００７】
通常は、複数の部材を用いて吸込配管のフランジ１１３ｂをベース１１０に固定する。しかしながら、吸込配管１１３を固定する際に複数の部材を集めるのは非効率的であり、時間的なロスが大きい。また、フランジ１１３ｂの厚さによっては丁度よい部材が準備できず、十分に固定できないこともある。
【０００８】
本発明はこのような問題点に鑑みてなされたものであり、本発明の課題は、効率的かつ安全に配管を固定できる配管固定治具、配管固定システムおよび配管固定方法を提供することである。
【課題を解決するための手段】
【０００９】
本発明の一態様によれば、フランジを有する配管を、溝が設けられたベースに固定する配管固定治具であって、一部で前記フランジを前記ベースに押さえることが可能なフランジ固定部と、前記フランジ固定部の他の一部と前記ベースとの間にあって前記フランジ固定部を支持する支持機構であって、その下面と前記フランジ固定部との間の距離を調整可能な支持機構と、前記溝に挿入されることで、当該配管固定治具を位置決めする治具固定部と、前記治具固定部と前記フランジ固定部との間の高さを調整する高さ調整機構と、を備える配管固定治具が提供される。
支持機構とフランジ固定部との間の距離を調整可能であるため、フランジの厚さに関わらず効率的かつ安全に配管を固定できる。
【００１０】
前記フランジ固定部、前記支持機構、前記治具固定部および前記高さ調整機構は一体であるのが望ましい。
これにより、配管を固定する際に複数の部材を集める手間が省け、作業効率が向上する。
【００１１】
前記支持機構は、前記フランジ固定部に設けられた第１開口に挿通し、前記フランジ固定部に対して上下動可能な第１ボルトを有してもよい。
また、前記高さ調整機構は、前記フランジ固定部に設けられた第２開口に挿通し、前記治具固定部が固定され、前記フランジ固定部に対して上下動可能な第２ボルトを有してもよい。
【００１２】
前記支持機構は、前記フランジ固定部に設けられた第１開口に挿通し、前記フランジ固定部に対して上下動可能な第１ボルトを有し、前記高さ調整機構は、前記フランジ固定部に設けられた第２開口に挿通し、前記治具固定部が固定され、前記フランジ固定部に対して上下動可能な第２ボルトを有し、前記ベースは、前記溝の上部に張り出した肩部を含み、前記配管が前記ベースに固定された状態では、前記第１ボルトが前記ベースに当接するとともに、前記治具固定部の上面が前記肩部の下面と当接するのが望ましい。
これにより、安定して配管を固定できる。
【００１３】
また、本発明の別の態様によれば、溝が設けられ、フランジを有する配管が固定されるベースと、上記配管固定治具と、を備える配管固定システムが提供される。
【００１４】
また、本発明の別の態様によれば、上記配管固定治具を用いて、フランジを有する配管を、溝が設けられたベースに固定する配管固定方法であって、前記治具固定部を前記溝に挿入するとともに、前記フランジ固定部の一部で前記フランジが前記ベースに押さえられるよう、前記配管固定治具を配置する工程と、前記フランジの厚さに合わせて、前記支持機構の下面と前記フランジ固定部との間の距離を粗調整する工程と、前記高さ調整機構を用いて、前記フランジ固定部と前記ベースとの間で前記フランジが固定されるよう、前記治具固定部と前記フランジ固定部との間の高さを調整する工程と、前記フランジの厚さに合わせて、前記支持機構の下面と前記フランジ固定部との間の距離を微調整する工程と、を備える配管固定方法が提供される。
【００１５】
前記支持機構の下面と前記フランジ固定部との間の距離を粗調整および微調整する工程では、前記支持機構の下面を前記ベースと当接させるのが望ましい。
【００１６】
また、前記ベースは、前記溝の上部に張り出した肩部を含み、前記治具固定部と前記フランジ固定部との間の高さを調整する工程では、前記治具固定部の上面を前記肩部の下面と当接させるのが望ましい。
【発明の効果】
【００１７】
支持機構とフランジ固定部との間の距離を調整可能であるため、フランジの厚さに関わらず効率的かつ安全に配管を固定できる。
【図面の簡単な説明】
【００１８】
【図１】図１は、一実施形態に係る配管固定治具１００の概略図。
【図２】配管固定治具１００を用いて配管２０をベース１０に固定した様子を示す図。
【図３】配管固定治具１００を用いて配管２０をベース１０に固定する手順を示すフローチャート。
【図４】ステップＳ１の工程後の配管固定治具１００の様子を示す図。
【図５】ステップＳ２の工程後の配管固定治具１００の様子を示す図。
【図６】ポンプ試験の様子を示す図。
【図７】ベース１１０に載置された吸込配管１１３を示す図。
【発明を実施するための形態】
【００１９】
以下、本発明に係る実施形態について、図面を参照しながら具体的に説明する。
【００２０】
図１は、一実施形態に係る配管固定治具１００の概略図であり、同図（ａ）は側面図、同図（ｂ）は上面図である。この配管固定治具１００は、図６に示す吸込配管１１３や吐出配管１１４のようにフランジを有する配管を、溝が形成されたベースに固定するものである。なお、本明細書における「固定」とは、一時的な仮置きも含むものとする。
【００２１】
配管固定治具１００は、治具固定部１と、フランジ固定部２と、固定ボルト３と、１または複数のナット４と、ハンドル５と、ハンドル頭部６と、高さ調整ボルト７（支持機構）とを備えており、これらは一体となっているか、少なくとも一体として用いることができる。
【００２２】
治具固定部１は配管固定治具１００の下部にあり、ベースの溝に挿入されることによって、ベースに対して配管固定治具１００を位置決めする。治具固定部１の外周部には治具固定部爪１ａが設けられてもよい。
【００２３】
フランジ固定部２は扁平な形状であり、中央部に固定ボルト３用の開口２ａが設けられるとともに、隣接して高さ調整ボルト７用の開口２ｂが設けられる。開口２ａ，２ｂが設けられていない部分で配管のフランジを押さえることができるようになっている。
【００２４】
固定ボルト３はフランジ固定部２の開口２ａを挿通し、鉛直方向に延びていて下部に治具固定部１が固定される。固定ボルト３は、回転することにより、フランジ固定部２に対して上下動可能である。なお、固定ボルト３は治具固定部１より細い。
ナット４はフランジ固定部２の上面にあり、固定ボルト３が挿通している。
【００２５】
ハンドル５は、その長手方向に沿って移動可能に、ハンドル頭部６を貫通している。そして、ハンドル頭部６は固定ボルト３の上部と係合して固定ボルト３と固定されている。よって、ハンドル５を回転させると、ハンドル頭部６が回転し、これにより固定ボルト３が回転する。ハンドル５を時計回りに回転させると、ナット４およびフランジ固定部２に対して、固定ボルト３および治具固定部１が相対的に下降する。これにより、治具固定部１の上面とフランジ固定部２の下面との間の高さｈ１が大きくなる。一方、ハンドル５を反時計回りに回転させると、ナット４およびフランジ固定部２に対して、固定ボルト３および治具固定部１が相対的に上昇する。これにより、治具固定部１の上面とフランジ固定部２の下面との間の高さｈ１が小さくなる。すなわち、固定ボルト３、ハンドル５およびハンドル頭部６（高さ調整機構）は、治具固定部１の高さ方向の位置を調整する。別の言い方をすると、固定ボルト３、ハンドル５およびハンドル頭部６により、治具固定部１の上面とフランジ固定部２の下面との間の高さｈ１は調整可能である。
【００２６】
高さ調整ボルト７は開口２ｂを挿通しており、回転することにより、フランジ固定部２に対して上下動可能である。高さ調整ボルト７を時計回りに回転させると、フランジ固定部２に対して高さ調整ボルト７が下降する。これにより、高さ調整ボルト７の下面とフランジ固定部２の下面との間の高さｈ２が大きくなる。一方、高さ調整ボルト７を反時計回りに回転させると、フランジ固定部２に対して高さ調整ボルト７が上昇する。これにより、高さ調整ボルト７の下面とフランジ固定部２の下面との間の高さｈ２が小さくなる。すなわち、高さ調整ボルト７は、上下動することにより、その下面とフランジ固定部２の下面との間の高さｈ２を調整可能である。
【００２７】
図２は、配管固定治具１００を用いて配管２０をベース１０に固定した様子を示す図である。配管固定治具１００およびベース１０により、配管固定システムが構成される。ベース１０には溝１１が形成されている。溝１１の幅は治具固定部１より若干大きい程度である。また、ベース１０は、溝１１の上部に両サイドから張り出した肩部１２（高さｈ０とする）を有し、肩部１２の間に開口が形成される。開口の幅は固定ボルト３より若干大きい程度であり、治具固定部１よりは小さい。なお、配管２０が有するフランジ２１の厚さをｄ０とする。
【００２８】
図示のように、治具固定部１はベース１０の溝１１内にあり、固定ボルト３は肩部１２間の開口を通ってベース１０の上方に延びている。治具固定部１の外周部の上面（治具固定部爪１ａがある場合にはその上面、以下同じ）が肩部１２の下面と当接している。よって、治具固定部１の上面とフランジ固定部２の下面との間の高さｈ１は、フランジ２１の厚さｄ０と肩部１２の高さｈ０との和とほぼ等しい。
【００２９】
また、フランジ固定部２の下面とベース１０の上面との間に、配管２０のフランジ２１が挟み込まれている。そして、高さ調整ボルト７の下面とフランジ固定部２の下面との間の高さｈ２は、フランジ２１の厚さｄ０とほぼ等しい。よって、高さ調整ボルト７の下面はベース１０の上面と当接している。この状態では、高さ調整ボルト７の一部がフランジ固定部２におけるフランジ２１を挟み込んでいない部分と、ベース１０との間に位置する。よって、フランジ固定部２が高さ調整ボルト７によって支持され、フランジ固定部２の両端（すなわちフランジ２１を挟む側と高さ調整ボルト７で支持される側）において、ベース１０からの距離がほぼ等しくなり、安定してフランジ２１を固定できる。
【００３０】
図３は、配管固定治具１００を用いて配管２０をベース１０に固定する手順を示すフローチャートである。
【００３１】
まず、治具固定部１を溝１１に挿入するとともに、フランジ固定部２の一部（図の左側）とベース１０との間にフランジ２１が挟み込まれるよう、配管固定治具１００を設置する（ステップＳ１）。図４に、ステップＳ１の工程後の配管固定治具１００の様子を示す。この段階では、必ずしも治具固定部１の上面が肩部１２の下面と当接していなくてもよく、例えば治具固定部１の下面が溝１１の底に接触していてもよい。また、高さ調整ボルト７の下面がベース１０の上面と当接していなくてもよい。
【００３２】
続いて、高さ調整ボルト７を回転させ、フランジ２１の厚さｄ０に合わせて高さ調整ボルト７のおおよその位置を調整する（ステップＳ２）。すなわち、高さ調整ボルト７の下面がベース１０の上面に当接するよう、粗調整を行う。図５に、ステップＳ２の工程後の配管固定治具１００の様子を示す。
【００３３】
次いで、フランジ固定部２やナット４を固定させた状態でハンドル５を回転させることにより固定ボルト３の位置を調整し、治具固定部１の上面を肩部１２の下面に当接させて治具固定部１を溝１１に固定させるとともに、フランジ固定部２をフランジ２１に固定する（ステップＳ３）。さらに、高さ調整ボルト７を回転させ、フランジ２１の厚さｄ０に合わせて高さ調整ボルト７の位置を正確に調整する（ステップＳ４）。すなわち、高さ調整ボルト７の下面がベース１０の上面に当接するよう、微調整を行う。これにより、図２に示す状態となる。
【００３４】
すなわち、治具固定部１の上面とフランジ固定部２の下面との間の高さｈ１が、フランジ２１の厚さｄ０と肩部１２の高さｈ０との和とほぼ等しくなり、かつ、高さ調整ボルト７の下面とフランジ固定部２の下面との間の高さｈ２が、フランジ２１の厚さｄ０になる。これにより、配管固定治具１００によって、配管２０がベース１０にしっかりと固定される。
【００３５】
このように、本実施形態では、配管固定治具１００が高さ調整ボルト７を備えるため、フランジ２１の厚さｄ０に関わらず配管２０が転倒しないよう固定でき、安全性が向上する。また、配管固定治具１００を構成する部材を一体で用いることができ、効率的に配管２０を固定できる。
【００３６】
なお、上述した配管２０は主にポンプ用の吸込配管や吐出配管などを想定しているが、他の配管にも適用可能である。
【００３７】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうることである。したがって、本発明は、記載された実施形態に限定されることはなく、特許請求の範囲によって定義される技術的思想に従った最も広い範囲とすべきである。
【符号の説明】
【００３８】
１  治具固定部
１ａ  治具固定部爪
２  フランジ固定部
２ａ，２ｂ  開口
３  固定ボルト
４  ナット
５  ハンドル
６  ハンドル頭部
７  高さ調整ボルト
１０，１１０  ベース
１１  溝
１２  肩部
２０  配管
２１  フランジ
１００  配管固定治具
１１１  試験台
１１２  ポンプ本体
１１３  吸込配管
１１３ａ  配管本体
１１３ｂ  フランジ
１１４  吐出配管
【図１】
2017048806.tif 000003
【図２】
2017048806.tif 000004
【図３】
2017048806.tif 000005
【図４】
2017048806.tif 000006
【図５】
2017048806.tif 000007
【図６】
2017048806.tif 000008
【図７】
2017048806.tif 000009